【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
ネットワークを介して複数のプロセッサ・ベース・デバイスに接続されるサーバが実行する方法であり、
受信した電子メール・メッセージの全体より少ないものを供給することが望ましいかどうかを判定するステップと、
前記電子メール・メッセージの部分を選択するステップと、
前記電子メール・メッセージの前記選択された部分を前記電子メール・メッセージの受信者に対応するプロセッサ・ベース・デバイスへ供給するステップとを含む方法。
【請求項２】
前記電子メール・メッセージの全体より少ないものを供給することが望ましいとの判定に応答して、前記電子メール・メッセージに関連するフォーマットを判定するステップと、
前記判定されたフォーマットに基づいて前記電子メール・メッセージの部分を選択するステップとをさらに含む、請求項１に記載の方法。
【請求項３】
前記電子メール・メッセージの前記選択された部分の分解能を減らすステップを含み、
前記供給するステップが、
減らされた分解能を有する前記電子メール・メッセージの前記部分を供給するステップ
を含む、請求項１に記載の方法。
【請求項４】
前記電子メール・メッセージの前記選択された部分の前記分解能を減らすステップが、前記電子メール・メッセージに関連する少なくとも１つのファイルの部分をダウンキャストするステップを含む、請求項３に記載の方法。
【請求項５】
前記少なくとも１つのファイルは、オーディオ・ファイル、ビデオ・ファイル、マルチメディア・ファイル、イメージ・ファイル、およびグラフィックス・ファイルのうちの少なくとも１つである、請求項４に記載の方法。
【請求項６】
前記少なくとも１つのファイルをダウンキャストするステップが、前記少なくとも１つのファイルのフルサイズで分解能を減らされた版、前記少なくとも１つのファイルの減らされたサイズで減らされた分解能の版、前記少なくとも１つのファイルの減らされたサイズでフル分解能の版、および前記少なくとも１つのファイルの減らされた色分解能の版のうちの少なくとも１つを供給するステップを含む、請求項４又は５に記載の方法。
【請求項７】
前記電子メール・メッセージの全体より少ないものを供給することが望ましいかどうかを判定するステップが、
前記ネットワークのデータ転送レートに関連する値を判定するステップと、
前記電子メール・メッセージのサイズに関連する値を判定するステップと、
前記サーバ又は前記プロセッサ・ベース・デバイスが記憶するメール転送判断基準と前記転送レートに関連する値と前記サイズに関連する値とに基づいて判定するステップとを含む、請求項１乃至６のいずれかに記載の方法。
【請求項８】
前記電子メール・メッセージの全体より少ないものを供給することが望ましいかどうかを判定するステップが、
前記ネットワークのデータ転送レートに関連する値を判定するステップと、
前記電子メール・メッセージのサイズに関連する値を判定するステップと、
前記サーバ又は前記プロセッサ・ベース・デバイスが記憶するメール転送判断基準と前記転送レートに関連する値と前記サイズに関連する値とに基づいて判定するステップとを含み、
前記電子メール・メッセージの前記サイズに関連する前記値を判定するステップが、前記判定されたフォーマットに基づいて、少なくとも１つのチャート、テーブル、ページ、会議日程、目次、要約、オーディオ・クリップ、またはビデオ・クリップのいずれかを識別するステップを含む、請求項２に記載の方法。
【請求項９】
前記電子メール・メッセージの前記サイズに関連する前記値を判定するステップが、前記少なくとも１つの識別されたチャート、テーブル、ページ、会議日程、目次、要約、オーディオ・クリップ、およびビデオ・クリップのサイズに関連する値を判定するステップを含む、請求項８に記載の方法。
【請求項１０】
前記電子メール・メッセージの前記部分を選択するステップが、少なくとも１つの識別されたチャート、テーブル、ページ、会議日程、目次、要約、オーディオ・クリップ、またはビデオ・クリップの前記サイズに関連する前記判定された値に基づいて、前記少なくとも１つの識別されたチャート、テーブル、ページ、会議日程、目次、要約、オーディオ・クリップ、またはビデオ・クリップを選択するステップを含む、請求項８に記載の方法。
【請求項１１】
前記データ転送レートに関連する前記値を判定するステップが、
前記サーバ又は前記プロセッサ・ベース・デバイスが記憶するデバイス・プロファイルに基づいて前記データ転送レートに関連する前記値を判定するステップ、
または前記ネットワークを介して少なくとも１つの受信されたデータ・パケット内のデータおよび前記受信されたデータ・パケットに関連する時間期間に基づいて平均データ転送レートを判定するステップを含む、請求項７に記載の方法。
【請求項１２】
前記メール転送判断基準を、前記サーバ又は前記プロセッサ・ベース・デバイスが記憶するユーザ入力・ユーザ・プロファイル、およびデバイス・プロファイルのうちの少なくとも１つに基づいて、閾値時間、デフォルト閾値時間、ユーザの好む最大転送時間、最大添付ファイル・サイズ、最小平均転送レート、および時刻のうちの少なくとも１つから選択するステップを含む、請求項７に記載の方法。
【請求項１３】
前記メール転送判断基準が閾値時間であり、
前記電子メール・メッセージの全体より少ないものを供給することが望ましいかどうかを判定するステップが、
前記データ転送レートに関連する値および前記電子メール・メッセージのサイズに関連する値を使用して転送時間を推定するステップと、
前記閾値時間と前記推定された転送時間とを比較するステップとを含む、請求項７に記載の方法。
【請求項１４】
前記減らされた分解能を有する前記電子メール・メッセージの前記部分を供給するステップが、
前記電子メール・メッセージに関連する少なくとも１つのファイルの部分を選択するステップを含む、請求項３に記載の方法。
【請求項１５】
前記減らされた分解能を有する前記電子メール・メッセージの前記部分を供給するステップが、
減らされた分解能を選択するステップと、
イメージのセクションを選択するステップと、
代替テキストを供給するステップとのうちの少なくとも１つを含む、請求項３に記載の方法。
【請求項１６】
前記電子メール・メッセージの前記部分を選択するステップが、
前記電子メール・メッセージの前記部分を動的に選択するステップを含む、請求項３に記載の方法。
【請求項１７】
前記電子メール・メッセージの前記部分を動的に選択するステップが、
前記電子メール・メッセージのうちで時間間隔を指定する部分を選択するステップおよびフレーム数を指定する部分を選択するステップのうちの少なくとも１つを含む、請求項１６に記載の方法。
【請求項１８】
前記電子メール・メッセージの前記選択された部分を供給するステップが、
前記電子メール・メッセージの前記選択された部分を前記サーバから前記電子メール・メッセージの受信者に対応するプロセッサ・ベース・デバイスへ送信するステップと、
前記電子メール・メッセージの全体を前記サーバで保管するステップとを含む、請求項２または３に記載の方法。
【請求項１９】
前記電子メール・メッセージの前記選択された部分を供給するステップが、
前記選択された部分を前記サーバから前記電子メール・メッセージの受信者に対応する受信側プロセッサ・ベース・デバイスに送信し、前記電子メール・メッセージの全体を前記サーバで保管するステップ、
または前記選択された部分を前記電子メール・メッセージの送信者に対応する送信側プロセッサ・ベース・デバイスから前記サーバに送信し、前記電子メール・メッセージの全体を前記送信側プロセッサ・ベース・デバイスで保管するステップを含む、請求項１８に記載の方法。
【請求項２０】
前記選択された部分を供給する選択肢を前記電子メール・メッセージの受信者に与えるステップと、前記選択された部分を供給することを前記受信者が選択することに応答して前記選択された部分を供給するステップとをさらに含む、請求項２または３に記載の方法。
【請求項２１】
前記電子メール・メッセージの前記選択された部分を供給するステップが、前記電子メール・メッセージのトリクル・アップロードおよびトリクル・ダウンロードのうちの少なくとも１つを含む、請求項２に記載の方法。
【請求項２２】
前記電子メール・メッセージの前記選択された部分を供給するステップよりも実質的に後に、前記電子メール・メッセージの追加的に選択された部分を供給するステップをさらに含む、請求項２に記載の方法。
【請求項２３】
前記電子メール・メッセージの追加的に選択された部分が、前記電子メール・メッセージの全体である、請求項２２に記載の方法。
【請求項２４】
前記電子メール・メッセージの前記少なくとも１つの部分を示す少なくとも１つのテキスト文字列を前記電子メール・メッセージの受信者に対応するプロセッサ・ベース・デバイスへ表示させるステップと、
前記電子メール・メッセージの前記少なくとも１つの部分の優先順位レベルの少なくとも１つの表示を前記電子メール・メッセージの受信者に対応するプロセッサ・ベース・デバイスへ表示させるステップと、
前記少なくとも１つの電子メール・メッセージの前記少なくとも１つの部分に対応する少なくとも１つの選択フィールドを前記電子メール・メッセージの受信者に対応するプロセッサ・ベース・デバイスへ表示させるステップと、
前記少なくとも１つの選択フィールドのうちの１つが前記受信者によって選択されたことを検出するために前記電子メール・メッセージの受信者に対応するプロセッサ・ベース・デバイスのポインタ・コントローラの位置および選択状況を監視するステップと、
前記少なくとも１つの選択フィールドのうちの１つが前記受信者によって選択されたことの検出に応答して前記少なくとも１つの選択フィールドのうちの前記選択された１つの外見を変更させるステップをさらに含む、請求項３に記載の方法。
【請求項２５】
前記少なくとも１つの電子メール・メッセージの前記少なくとも１つの部分に対応する、サイズ・フィールド、ページ・フィールド、および推定されたダウンロード時間のうちの少なくとも１つを表示させるステップをさらに含む、請求項２４に記載の方法。
【請求項２６】
少なくとも１つの優先順位レベル・フィールドが前記受信者によって選択されたことの検出に応答して、前記少なくとも１つの電子メール・メッセージの前記少なくとも１つの部分の優先順位レベルを変更するステップをさらに含む、請求項２５に記載の方法。
【請求項２７】
前記プロセッサ・ベース・デバイスは、ユーザ・ポインタ・コントローラ及びグラフィカル・ユーザ・ディスプレイを備え、
前記ユーザ・ポインタ・コントローラを用いて前記グラフィカル・ユーザ・ディスプレイ上のポインタ要素を制御するステップを更に含み、
前記ポインタ・コントローラが、前記ユーザによる操作に応答する位置および選択状況を示す、請求項３に記載の方法。
【請求項２８】
前記電子メール・メッセージの全体より少ないものを供給することが望ましいかどうかを判定する前記ステップが、前記電子メール・メッセージに関連する少なくとも１つのディジタル権利に基づいて、前記電子メール・メッセージの受信者が前記電子メール・メッセージの全体より少ないものを受信することを許可されることを判定するステップを含み、
前記電子メールの部分を選択する前記ステップが、前記電子メール・メッセージのうちで前記受信者が受信を許可される部分を選択するステップを含む、請求項１に記載の方法。
【請求項２９】
前記電子メール・メッセージに関連する少なくとも１つのディジタル権利は、著作権、配布権、放送権、複製権、出版権、ライセンス交付制限、公正使用、およびディジタル・ミレニアム著作権法によって課せられる制限のうちの少なくとも１つである、請求項２８に記載の方法。
【請求項３０】
前記電子メール・メッセージの保護された部分を受信する許可を獲得するステップをさらに含む、請求項２８に記載の方法。
【請求項３１】
前記許可を獲得するステップが、前記電子メール・メッセージの前記保護された部分を受信するライセンスを獲得するステップを含む、請求項３０に記載の方法。
【請求項３２】
前記許可を獲得するステップが、前記ディジタル権利の所有者に対応するプロセッサ・ベース・デバイスに対して前記許可要求を送信するステップを含む、請求項２８に記載の方法。
【請求項３３】
前記許可の獲得に応答して、前記電子メール・メッセージの前記保護された部分を供給するステップをさらに含む、請求項２８に記載の方法。
【請求項３４】
ネットワークを介して複数のプロセッサ・ベース・デバイスに接続されるサーバが実行する方法であり、
受信した電子メール・メッセージの全体より少ないものが送信されたことを判定するステップであって、前記電子メール・メッセージが、カレンダ・イベントを示すスケジューリング情報を含む、判定するステップと、
前記スケジューリング情報に基づいて前記電子メール・メッセージを前記カレンダ・イベントに関連付けるステップと、
前記カレンダ・イベントに基づいて前記電子メール・メッセージの全体より少ないものが送信されたことの通知を前記電子メール・メッセージの送信者又は受信者又はその両方に対応するプロセッサ・ベース・デバイスへ供給するステップと
を含む方法。
【請求項３５】
ネットワークを介して複数のプロセッサ・ベース・デバイスに接続されるサーバが実行する方法であり、
少なくとも１つの電子メール・メッセージの少なくとも１つの未送達部分に関連するイベントの少なくとも１つのインジケータを前記電子メール・メッセージの受信者に対応するプロセッサ・ベース・デバイスへ表示させるステップと、
前記少なくとも１つのインジケータのうちの１つが前記受信者によって選択されたことを検出するために前記電子メール・メッセージの受信者に対応するプロセッサ・ベース・デバイスのポインタ・コントローラの位置および選択状況を監視するステップと、
前記少なくとも１つのインジケータのうちの１つが前記受信者によって選択されたことの検出に応答して前記少なくとも１つの電子メール・メッセージの前記少なくとも１つの未送達部分および前記イベントに関連するスケジューリング情報を供給するステップとを含む、方法。
【請求項３６】
ネットワークを介して複数のプロセッサ・ベース・デバイスに接続されるサーバが実行する方法であり、
受信した電子メール・メッセージの全体より少ないものを供給することが望ましいかどうかを判定するステップと、
前記電子メール・メッセージの少なくとも１つの部分を選択するステップと、
前記電子メール・メッセージの前記少なくとも１つの部分を示す少なくとも１つのテキスト文字列を前記電子メール・メッセージの受信者に対応するプロセッサ・ベース・デバイスへ表示させるステップと、
減らされた分解能を有する前記電子メール・メッセージの前記少なくとも１つの部分の版の少なくとも１つの表示を前記電子メール・メッセージの受信者に対応するプロセッサ・ベース・デバイスへ表示させるステップと、
前記少なくとも１つの電子メール・メッセージの前記少なくとも１つの部分の前記減らされた分解能の版に対応する少なくとも１つの選択フィールドを前記電子メール・メッセージの受信者に対応するプロセッサ・ベース・デバイスへ表示させるステップと、
前記少なくとも１つの選択フィールドのうちの１つが前記受信者によって選択されたことを検出するためにポインタ・コントローラの位置および選択状況を監視するステップと、
前記少なくとも１つの選択フィールドのうちの１つが前記受信者によって選択されたことの検出に応答して前記少なくとも１つの選択フィールドのうちの前記選択された１つの外見を変更させるステップとを含む、方法。
【請求項３７】
ネットワークを介して複数のプロセッサ・ベース・デバイスに接続されるサーバが実行する方法であり、
少なくとも１つの電子メール・メッセージの少なくとも１つの部分に関連するディジタル権利管理規則の少なくとも１つのインジケータを前記電子メール・メッセージの受信者に対応するプロセッサ・ベース・デバイスへ表示させるステップと、
前記少なくとも１つのインジケータのうちの少なくとも１つが前記受信者によって選択されたことを検出するためにポインタ・コントローラの位置および選択状況を監視するステップと、
前記少なくとも１つのインジケータのうちの少なくとも１つが前記受信者によって選択されたことの検出に応答して前記少なくとも１つの電子メール・メッセージの前記少なくとも１つの部分に関連するユーザ許可および前記ディジタル権利管理規則の表示を前記電子メール・メッセージの受信者に対応するプロセッサ・ベース・デバイスへ供給するステップとを含む、方法。
【請求項３８】
ネットワークを介して複数のプロセッサ・ベース・デバイスに接続されるサーバが実行する方法であり、
少なくとも１つの電子メール・メッセージの少なくとも１つの部分を示す少なくとも１つのテキスト文字列を前記電子メール・メッセージの受信者に対応するプロセッサ・ベース・デバイスへ表示させるステップと、
前記電子メール・メッセージの前記部分のダウンロードの推定された時間の少なくとも１つの表示を前記電子メール・メッセージの受信者に対応するプロセッサ・ベース・デバイスへ表示させるステップと、
前記少なくとも１つの電子メール・メッセージの前記少なくとも１つの部分に対応する少なくとも１つの選択フィールドを前記電子メール・メッセージの受信者に対応するプロセッサ・ベース・デバイスへ表示させるステップと、
前記少なくとも１つの選択フィールドのうちの１つが前記受信者によって選択されたことを検出するためにポインタ・コントローラの位置および選択状況を監視するステップと、
前記少なくとも１つの選択フィールドのうちの１つが前記受信者によって選択されたことの検出に応答して前記少なくとも１つの選択フィールドのうちの前記選択された１つの外見を変更するステップとを含む、方法。
【請求項３９】
コンピュータに実行可能なコンピュータ・プログラムであり、
前記コンピュータに実行されることで、前記コンピュータに請求項１乃至３８のいずれかに記載の方法を実施させるコンピュータ・プログラム。
【請求項４０】
ネットワークを介して複数のプロセッサ・ベース・デバイスに接続されるサーバ・コンピュータであり、
受信した電子メール・メッセージの全体より少ないものを供給することが望ましいかどうかを判定する手段と、
前記電子メール・メッセージの部分を選択する手段と、
前記電子メール・メッセージの前記選択された部分を前記電子メール・メッセージの受信者に対応するプロセッサ・ベース・デバイスへ供給する手段と
を備えるサーバ・コンピュータ。
【請求項４１】
前記プロセッサ・ベース・デバイスが、リモート・クライアントである、請求項４０に記載のサーバ・コンピュータ。
【請求項４２】
前記サーバ・コンピュータが、前記電子メール・メッセージをキューイングするように適合される、請求項４０又は４１に記載のサーバ・コンピュータ。
【請求項４３】
ストレージ・ユニットをさらに含み、前記サーバ・コンピュータが、前記電子メール・メッセージを前記ストレージ・ユニットに供給するように適合される、請求項４０乃至４２のいずれかに記載のサーバ・コンピュータ。
【手続補正２】
【補正対象書類名】明細書
【補正対象項目名】０１０８
【補正方法】変更
【補正の内容】
【０１０８】
一実施形態で、ディジタル権利に基づいて電子メール・メッセージの部分を供給する方法および装置が提供される。この方法に、電子メール・メッセージに関連
する少なくとも１つのディジタル権利に基づいて、ユーザが電子メール・メッセージの全体より少ないものを受信することを許可されることを判定すること と、電子メール・メッセージのうちでユーザが受信を許可される部分を選択することと、電子メール・メッセージの選択された部分を供給することが含まれる。
一実施形態で、転送レートおよびメッセージ・サイズに基づいて電子メール・メッセージの部分を供給する方法および装置が提供される。この方法に、データ転 送レートに関連する値を判定することと、電子メール・メッセージのサイズに関連する値を判定することと、メール転送判断基準を判定することが含まれる。この方法に、判定された転送レート値、電子メール・メッセージのサイズに関連する判定された値、および判定されたメール転送判断基準に基づいて電子メール・メッセージの部分を選択することも含まれる。この方法に、さらに、電子メール・メッセージの選択された部分を供給することが含まれる。本発明を、異なるが、本明細書の教示の利益を有する当業者に明白な同等の形で変更し、実践することができるので、上で開示した特定の実施形態は、例示にすぎない。さらに、
添付請求項に記載されたもの以外の、本明細書に示された構成または設計に対する制限は意図されていない。したがって、上で開示された特定の実施形態を変更 しまたは修正することができ、そのような変形のすべてが本発明の趣旨および範囲に含まれると考えられることは明白である。したがって、本明細書で求められる保護は、添付請求項に示されている。
以下、参考までに出願時の添付請求項に記載の発明を示す。
［Ａ：発明１］
電子メール・メッセージのすべてより少ないものを供給することが望ましいかどうかを判定するステップと、
前記電子メール・メッセージの部分を選択するステップと、
前記電子メール・メッセージの前記選択された部分を供給するステップとを含む方法。
［Ａ：発明２］
前記電子メール・メッセージのすべてより少ないものを供給することが望ましいとの判定に応答して、前記電子メール・メッセージに関連するフォーマットを判定するステップと、
前記判定されたフォーマットに基づいて前記電子メール・メッセージの部分を選択するステップとをさらに含む、発明１に記載の方法。
［Ａ：発明３］
前記電子メール・メッセージの前記選択された部分の分解能を減らすステップを含み、前記提供するステップが、
減らされた分解能を有する前記電子メール・メッセージの前記部分を供給するステップ
を含む、発明１に記載の方法。
［Ａ：発明４］
前記電子メール・メッセージの前記選択された部分の前記分解能を減らすステップが、前記電子メール・メッセージに関連する少なくとも１つのファイルの部分をダウンキャストするステップを含む、発明３に記載の方法。
［Ａ：発明５］
前記少なくとも１つのファイルをダウンキャストするステップが、オーディオ・ファイル、ビデオ・ファイル、マルチメディア・ファイル、イメージ・ファイル、およびグラフィックス・ファイルのうちの少なくとも１つをダウンキャストするステップを含む、発明４に記載の方法。
［Ａ：発明６］
前記少なくとも１つのファイルをダウンキャストするステップが、前記少なくとも１つのファイルのフルサイズで分解能を減らされた版、前記少なくとも１つのファイルの減らされたサイズで減らされた分解能の版、前記少なくとも１つのファイルの減らされたサイズでフル分解能の版、および前記少なくとも１つのファイルの減らされた色分解能の版のうちの少なくとも１つを供給するステップを含む、発明５に記載の方法。
［Ａ：発明７］
前記電子メール・メッセージのすべてを供給することが望ましいかどうかを判定するステップが、データ転送レートに関連する値を判定するステップと、前記電子メール・メッセージのサイズに関連する値を判定するステップと、メール転送判断基準を判定するステップとを含む、発明１、２、または３に記載の方法。
［Ａ：発明８］
前記電子メール・メッセージのすべてを供給することが望ましいかどうかを判定するステップが、データ転送レートに関連する値を判定するステップと、
前記電子メール・メッセージのサイズに関連する値を判定するステップと、
メール転送判断基準を判定するステップとを含み、
前記電子メール・メッセージの前記サイズに関連する前記値を判定するステップが、前記判定されたフォーマットに基づいて、少なくとも１つのチャート、テーブル、ページ、会議日程、目次、要約、オーディオ・クリップ、またはビデオ・クリップを識別するステップを含む、発明２に記載の方法。
［Ａ：発明９］
前記電子メール・メッセージの前記サイズに関連する前記値を判定するステップが、前記少なくとも１つの識別されたチャート、テーブル、ページ、会議日程、目次、要約、オーディオ・クリップ、およびビデオ・クリップのサイズに関連する値を判定するステップを含む、発明８に記載の方法。
［Ａ：発明１０］
前記電子メール・メッセージの前記部分を選択するステップが、少なくとも１つの識別されたチャート、テーブル、ページ、会議日程、目次、要約、オーディオ・クリップ、またはビデオ・クリップの前記サイズに関連する前記判定された値に基づいて、前記少なくとも１つの識別されたチャート、テーブル、ページ、会議日程、目次、要約、オーディオ・クリップ、またはビデオ・クリップを選択するステップを含む、発明８に記載の方法。

［Ａ：発明１１］
前記データ転送レートに関連する前記値を判定するステップが、デバイス・プロファイルに基づいて前記データ転送レートに関連する前記値を判定するステップ、または少なくとも１つの受信されたデータ・パケット内のデータおよび前記受信されたデータ・パケットに関連する時間期間に基づいて平均データ転送レートを判定するステップを含む、発明７に記載の方法。
［Ａ：発明１２］
前記メール転送判断基準を判定するステップが、ユーザ入力・ユーザ・プロファイル、およびデバイス・プロファイルのうちの少なくとも１つに基づいて、閾値時間、デフォルト閾値時間、ユーザの好む最大転送時間、最大添付ファイル・サイズ、最小平均転送レート、および時刻のうちの少なくとも１つを判定するステップを含む、発明７に記載の方法。
［Ａ：発明１３］
前記電子メール・メッセージの前記部分を選択するステップが、前記データ転送レートに関連する前記判定された値および前記電子メール・メッセージに関連する少なくとも１つのファイルの前記サイズに関連する前記判定された値を使用して転送時間を推定するステップと、
前記閾値時間と前記推定された転送時間とを比較するステップとを含む、発明１２に記載の方法。
［Ａ：発明１４］
減らされた分解能を有する前記電子メール・メッセージの前記部分を選択するステップが、前記電子メール・メッセージに関連する少なくとも１つのファイルの部分を選択するステップを含む、発明３に記載の方法。
［Ａ：発明１５］
前記減らされた分解能を有する前記電子メール・メッセージの前記部分を選択するステップが、減らされた分解能を選択するステップと、
イメージのセクションを選択するステップと、
代替テキストを供給するステップとのうちの少なくとも１つを含む、発明３に記載の方法。
［Ａ：発明１６］
前記電子メール・メッセージの前記部分を選択するステップが、前記電子メール・メッセージの前記部分を動的に選択するステップを含む、発明３に記載の方法。
［Ａ：発明１７］
前記電子メール・メッセージの前記部分を動的に選択するステップが、前記電子メール・メッセージのうちで時間間隔を指定する部分を選択するステップおよびフレーム数を指定する部分を選択するステップのうちの少なくとも１つを含む、発明１６に記載の方法。
［Ａ：発明１８］
前記電子メール・メッセージの前記選択された部分を供給するステップが、前記電子メール・メッセージの前記選択された部分を送信するステップと、
前記電子メール・メッセージを保管するステップとを含む、発明２または３に記載の方法。
［Ａ：発明１９］
前記電子メール・メッセージの前記選択された部分を供給するステップが、前記選択された部分をサーバからプロセッサ・ベース・デバイスに送信し、前記電子メール・メッセージを前記サーバで保管するステップ、または前記選択された部分をプロセッサ・ベース・デバイスからサーバに送信し、前記電子メール・メッセージを前記プロセッサ・ベース・デバイスで保管するステップを含む、発明１８に記載の方法。
［Ａ：発明２０］
前記選択された部分を供給する選択肢をユーザに与えるステップと、前記選択された部分を供給することを前記ユーザが選択することに応答して前記選択された部分を供給するステップとをさらに含む、発明２または３に記載の方法。
［Ａ：発明２１］
前記電子メール・メッセージの前記選択された部分を供給するステップが、前記電子メール・メッセージのトリクル・アップロードおよびトリクル・ダウンロードのうちの少なくとも１つを含む、発明２に記載の方法。
［Ａ：発明２２］
実質的に前記電子メール・メッセージの前記選択された部分を供給した後に、前記電子メール・メッセージの追加の選択された部分を供給するステップをさらに含む、発明２に記載の方法。
［Ａ：発明２３］
前記電子メール・メッセージの追加の選択された部分を供給するステップが、前記電子メール・メッセージを供給するステップを含む、発明２２に記載の方法。
［Ａ：発明２４］
前記電子メール・メッセージの前記少なくとも１つの部分を示す少なくとも１つのテキスト文字列を表示するステップと、
前記電子メール・メッセージの前記少なくとも１つの部分の優先順位レベルの少なくとも１つの表示を表示するステップと、
前記少なくとも１つの電子メール・メッセージの前記少なくとも１つの部分に対応する少なくとも１つの選択フィールドを表示するステップと、
前記少なくとも１つの選択フィールドのうちの１つが前記ユーザによって選択されたことを検出するためにポインタ・コントローラの位置および選択状況を監視するステップと、
前記少なくとも１つの選択フィールドのうちの１つが前記ユーザによって選択されたことの検出に応答して前記少なくとも１つの選択フィールドのうちの前記選択された１つの外見を変更するステップをさらに含む、発明３に記載の方法。
［Ａ：発明２５］
前記少なくとも１つの電子メール・メッセージの前記少なくとも１つの部分に対応する、サイズ・フィールド、ページ・フィールド、および推定されたダウンロード時間のうちの少なくとも１つを表示するステップをさらに含む、発明２４に記載の方法。
［Ａ：発明２６］
少なくとも１つの優先順位レベル・フィールドが前記ユーザによって選択されたことの検出に応答して、前記少なくとも１つの電子メール・メッセージの前記少なくとも１つの部分の優先順位レベルを変更するステップをさらに含む、発明２５に記載の方法。
［Ａ：発明２７］
ユーザ・ポインタ・コントローラを用いてグラフィカル・ユーザ・ディスプレイ上のポインタ要素を制御するステップをさらに含み、前記ポインタ・コントローラが、前記ユーザによる操作に応答する位置および選択状況を有する、発明３に記載の方法。
［Ａ：発明２８］
データ転送レートに関連する値を判定するステップと、
電子メール・メッセージのサイズに関連する値を判定するステップと、
メール転送判断基準を判定するステップとを含み、
前記選択するステップが、前記判定された転送レート値、前記電子メール・メッセージの前記サイズに関連する前記判定された値、および前記判定されたメール転送判断基準に基づいて前記電子メール・メッセージの部分を選択するステップを含む、発明１に記載の方法。
［Ａ：発明２９］
前記データ転送レートに関連する前記値を判定するステップが、少なくとも１つの受信されたデータ・パケットに基づいて前記データ転送レートに関連する前記値を判定するステップを含む、発明２８に記載の方法。
［Ａ：発明３０］
前記受信されたデータ・パケットに基づいて前記データ転送レートに関連する前記値を判定するステップが、前記受信されたデータ・パケット内のデータおよび前記受信されたデータ・パケットに関連する時間期間を使用して平均データ転送レートを判定するステップを含む、発明２９に記載の方法。
［Ａ：発明３１］
前記データ転送レートに関連する前記値を判定するステップが、デバイス・プロファイルに基づいて前記データ転送レートに関連する前記値を判定するステップを含む、発明２８に記載の方法。
［Ａ：発明３２］
前記メール転送判断基準を判定するステップが、ユーザ入力、ユーザ・プロファイル、およびデバイス・プロファイルのうちの少なくとも１つに基づいて前記メール転送判断基準を判定するステップを含む、発明２８に記載の方法。
［Ａ：発明３３］
前記メール転送判断基準を判定するステップが、閾値時間、最大添付ファイル・サイズ、最小平均転送レート、時刻、デフォルト閾値時間、およびユーザの好む最大転送時間のうちの少なくとも１つを判定するステップを含む、発明２８に記載の方法。
［Ａ：発明３４］
前記電子メール・メッセージの前記部分を選択するステップが、前記データ転送レートに関連する前記判定された値および前記電子メール・メッセージの前記サイズに関連する前記判定された値を使用して転送時間を推定するステップを含む、発明３３に記載の方法。
［Ａ：発明３５］
前記電子メール・メッセージの前記部分を選択するステップが、前記閾値時間と前記推定された転送時間とを比較するステップを含む、発明３４に記載の方法。
［Ａ：発明３６］
前記電子メール・メッセージの前記選択された部分を供給するステップが、前記電子メール・メッセージの前記選択された部分を送信するステップと、
前記電子メール・メッセージを保管するステップとを含む、発明２８に記載の方法。
［Ａ：発明３７］
前記電子メール・メッセージの前記選択された部分を供給するステップが、前記選択された部分をサーバからプロセッサ・ベース・デバイスに送信するステップと、
前記電子メール・メッセージを前記サーバで保管するステップを含む、発明３６に記載の方法。
［Ａ：発明３８］
前記電子メール・メッセージの前記選択された部分を供給するステップが、前記選択された部分をプロセッサ・ベース・デバイスからサーバに送信するステップと、
前記電子メール・メッセージを前記プロセッサ・ベース・デバイスで保管するステップとを含む、発明３６に記載の方法。
［Ａ：発明３９］
前記選択された部分の表示および前記選択された部分を供給する選択肢のうちの少なくとも１つをユーザに与えるステップをさらに含む、発明２８に記載の方法。
［Ａ：発明４０］
前記選択された部分を供給するステップが、前記選択された部分を供給することをユーザが選択することに応答して前記選択された部分を供給するステップを含む、発明３９に記載の方法。
［Ａ：発明４１］
前記電子メール・メッセージの前記選択された部分を供給するステップが、前記電子メール・メッセージのトリクル・アップロードおよびトリクル・ダウンロードのうちの少なくとも１つを含む、発明２８に記載の方法。
［Ａ：発明４２］
実質的に前記電子メール・メッセージの前記選択された部分を供給した後に、前記電子メール・メッセージを供給するステップをさらに含む、発明２８に記載の方法。
［Ａ：発明４３］
前記電子メール・メッセージのすべてより少ないものを供給することが望ましいかどうかを判定する前記ステップが、電子メール・メッセージに関連する少なくとも１つのディジタル権利に基づいて、ユーザが前記電子メール・メッセージのすべてより少ないものを受信することを許可されることを判定するステップを含み、
前記電子メールの部分を選択する前記ステップが、前記電子メール・メッセージのうちで前記ユーザが受信を許可される部分を選択するステップを含む、発明１に記載の方法。
［Ａ：発明４４］
ユーザが前記電子メール・メッセージのすべてより少ないものを受信することを許可されることを判定するステップが、著作権、配布権、放送権、複製権、出版権、ライセンス交付制限、公正使用、およびディジタル・ミレニアム著作権法によって課せられる制限のうちの少なくとも１つに基づいて、ユーザが前記電子メール・メッセージのすべてより少ないものを受信することを許可されることを判定するステップを含む、発明４３に記載の方法。
［Ａ：発明４５］
前記ユーザが前記電子メール・メッセージのすべてより少ないものを受信することを許可されることを判定するステップが、ユーザ入力およびユーザ・プロファイルのうちの少なくとも１つにアクセスするステップを含む、発明４３に記載の方法。
［Ａ：発明４６］
前記ユーザ・プロファイルにアクセスするステップが、ローカル・デバイスおよびリモート・デバイスのうちの少なくとも１つにある前記ユーザ・プロファイルにアクセスするステップを含む、発明４５に記載の方法。
［Ａ：発明４７］
前記電子メール・メッセージの保護された部分を受信する許可を獲得するステップをさらに含む、発明４３に記載の方法。
［Ａ：発明４８］
前記許可を獲得するステップが、前記電子メール・メッセージの前記保護された部分を受信するライセンスを獲得するステップを含む、発明４７に記載の方法。
［Ａ：発明４９］
前記許可を獲得するステップが、前記ユーザを前記電子メール・メッセージの前記保護された部分に対する前記ディジタル権利の所有者に向けるステップを含む、発明４７に記載の方法。
［Ａ：発明５０］
前記許可の獲得に応答して、前記電子メール・メッセージの前記保護された部分を供給するステップをさらに含む、発明４７に記載の方法。
［Ａ：発明５１］
前記部分を選択するステップが、前記電子メール・メッセージに関連する少なくとも１つのファイルのフォーマットを判定するステップを含む、発明４３に記載の方法。
［Ａ：発明５２］
前記電子メール・メッセージの前記部分を選択するステップが、前記判定されたファイル・フォーマットに基づいて、少なくとも１つのチャート、テーブル、ページ、会議日程、目次、要約、オーディオ・クリップ、またはビデオ・クリップを識別選択するステップを含む、発明５１に記載の方法。
［Ａ：発明５３］
前記電子メール・メッセージの前記部分を選択するステップが、前記判定されたファイル・フォーマットに基づいて、前記電子メール・メッセージに関連する前記少なくとも１つのファイルの分解能を減らすステップを含む、発明５１に記載の方法。
［Ａ：発明５４］
前記少なくとも１つのファイルの前記分解能を減らすステップが、オーディオ・ファイル、ビデオ・ファイル、マルチメディア・ファイル、イメージ・ファイル、およびグラフィックス・ファイルのうちの少なくとも１つの１部分をダウンキャストするステップを含む、発明５３に記載の方法。
［Ａ：発明５５］
前記電子メール・メッセージのすべてより少ないものを受信することが望ましいことを判定するステップをさらに含む、発明４３に記載の方法。
［Ａ：発明５６］
前記電子メール・メッセージのすべてより少ないものを供給することが望ましいことを判定するステップが、閾値時間を判定するステップと、
データ転送レートに関連する値を判定するステップと、
電子メール・メッセージのサイズに関連する値を判定するステップと、
前記データ転送レートに関連する前記判定された値および前記電子メール・メッセージの前記サイズに関連する前記判定された値を使用して転送時間を推定するステップと、
前記閾値時間と前記推定された転送時間とを比較するステップと、前記比較に基づいて前記電子メール・メッセージの部分を選択するステップとを含む、発明５５に記載の方法。
［Ａ：発明５７］
前記電子メール・メッセージの前記選択された部分を供給するステップが、前記選択された部分をサーバからプロセッサ・ベース・デバイスに送信するステップと、
前記電子メール・メッセージを前記サーバで保管するステップとを含む、発明４３に記載の方法。
［Ａ：発明５８］
前記電子メール・メッセージの前記選択された部分を供給するステップが、前記選択された部分をプロセッサ・ベース・デバイスからサーバに送信するステップと、
前記電子メール・メッセージを前記プロセッサ・ベース・デバイスで保管するステップとを含む、発明４３に記載の方法。
［Ａ：発明５９］
実行された時に、プロセッサが、リモート・デバイスへの送達のために電子メール・メッセージにアクセスするステップと、
前記電子メール・メッセージのすべてより少ないものを供給することが望ましいかどうかを判定するステップと、
前記電子メール・メッセージの部分を選択するステップと、
前記電子メール・メッセージの前記選択された部分を前記リモート・デバイスに供給するステップとを可能にする命令を含む１つまたは複数の機械可読記憶媒体を含む物品。
［Ａ：発明６０］
前記命令は、実行された時に、プロセッサが、前記電子メール・メッセージのすべてより少ないものを供給することが望ましいとの判定に応答して前記電子メール・メッセージに関連するフォーマットを判定するステップと、
前記判定されたフォーマットを使用して前記電子メール・メッセージの部分を選択するステップとを可能にする、発明５９に記載の物品。
［Ａ：発明６１］
前記命令は、実行された時に、プロセッサが、前記電子メール・メッセージの前記選択された部分の分解能を減らすステップと、
減らされた分解能を有する前記電子メール・メッセージの前記部分を供給するステップとを可能にする、発明５９に記載の物品。
［Ａ：発明６２］
前記命令は、実行された時に、プロセッサが、前記電子メール・メッセージの前記選択された部分をダウンキャストするステップを可能にする、発明６１に記載の物品。
［Ａ：発明６３］
前記命令は、実行された時に、プロセッサが、前記電子メール・メッセージに関連する少なくとも１つのファイルの部分を選択するステップを可能にする、発明６１に記載の物品。
［Ａ：発明６４］
前記命令は、実行された時に、プロセッサが、少なくとも１つのタグに基づいて前記電子メール・メッセージに関連する少なくとも１つのファイルの部分を選択するステップを可能にする、発明６１に記載の物品。
［Ａ：発明６５］
前記命令は、実行された時に、プロセッサが、前記電子メール・メッセージの前記部分を動的に選択するステップを可能にする、発明６１に記載の物品。
［Ａ：発明６６］
前記命令は、実行された時に、前記プロセッサが、データ転送レートに関連する値を判定するステップと、
前記電子メール・メッセージのサイズに関連する値を判定するステップと、
メール転送判断基準を判定するステップとを可能にする、発明６０または６１に記載の物品。
［Ａ：発明６７］
前記命令は、実行された時に、前記プロセッサが、前記データ転送レートに関連する前記判定された値および前記電子メール・メッセージに関連する少なくとも１つのファイルのサイズに関連する判定された値を使用して転送時間を推定するステップと、
閾値時間と前記推定された転送時間とを比較するステップとを可能にする、発明６６に記載の物品。
［Ａ：発明６８］
前記命令は、実行された時に、前記プロセッサが、前記電子メール・メッセージの前記選択された部分を転送し、前記電子メール・メッセージを保管するステップを可能にする、発明６０または６１に記載の物品。
［Ａ：発明６９］
前記命令は、実行された時に、前記プロセッサが、実質的に前記電子メール・メッセージの前記選択された部分を供給した後に、前記電子メール・メッセージの追加の選択された部分を供給するステップを可能にする、発明６０に記載の物品。
［Ａ：発明７０］
前記命令は、実行された時に、前記プロセッサが、前記電子メール・メッセージを供給するステップを可能にする、発明６０に記載の物品。
［Ａ：発明７１］
前記命令は、実行された時に、プロセッサが、データ転送レートに関連する値を判定するステップと、
前記電子メール・メッセージのサイズに関連する値を判定するステップと、
メール転送判断基準を判定するステップと、
前記判定されたデータ転送レート、前記電子メール・メッセージの前記サイズに関連する前記判定された値、および前記判定されたメール転送判断基準に基づいて前記電子メール・メッセージの部分を選択するステップとを可能にする、発明５９に記載の物品。
［Ａ：発明７２］
前記１つまたは複数の機械可読記憶媒体は、実行された時に、前記プロセッサが、少なくとも１つの受信されたデータ・パケットおよび前記受信されたデータ・パケットに関連する時間期間を使用して平均データ転送レートを判定するステップを可能にする命令を含む、発明７１に記載の物品。
［Ａ：発明７３］
前記１つまたは複数の機械可読記憶媒体は、実行された時に、前記プロセッサが、ユーザ入力、ユーザ・プロファイル、およびデバイス・プロファイルのうちの少なくとも１つに基づいて、閾値時間、デフォルト閾値時間、ユーザの好む最大転送時間、最大添付ファイル・サイズ、最小平均転送レート、および時刻のうちの少なくとも１つを判定するステップを可能にする命令を含む、発明７１に記載の物品。
［Ａ：発明７４］
前記１つまたは複数の機械可読記憶媒体は、実行された時に、前記プロセッサが、前記閾値時間、前記デフォルト閾値時間、および前記ユーザの好む最大転送時間のうちの少なくとも１つを前記推定された転送時間と比較するステップを可能にする命令を含む、発明７１に記載の物品。
［Ａ：発明７５］
前記１つまたは複数の機械可読記憶媒体は、実行された時に、前記プロセッサが、前記電子メール・メッセージの前記保管された部分を送信するステップと、
前記電子メール・メッセージを保管するステップとを可能にする命令を含む、発明７１に記載の物品。
［Ａ：発明７６］
前記１つまたは複数の機械可読記憶媒体は、実行された時に、前記プロセッサが、実質的に前記電子メール・メッセージの前記選択された部分を供給した後に、前記電子メール・メッセージを供給するステップを可能にする命令を含む、発明７１に記載の物品。
［Ａ：発明７７］
実行された時に、プロセッサが、電子メール・メッセージに関連する少なくとも１つのディジタル権利に基づいて、ユーザが前記電子メール・メッセージのすべてより少ないものを受信することを許可されることを判定するステップと、
前記電子メール・メッセージのうちで前記ユーザが受信を許可される部分を選択するステップとを可能にする命令を含む、発明５９に記載の物品。
［Ａ：発明７８］
前記１つまたは複数の機械可読記憶媒体は、実行された時に、前記プロセッサが、ユーザ入力およびユーザ・プロファイルのうちの少なくとも１つにアクセスするステップを可能にする命令を含む、発明１１に記載の物品。
［Ａ：発明７９］
前記１つまたは複数の機械可読記憶媒体は、実行された時に、前記プロセッサが、前記電子メール・メッセージの保護された部分を受信する許可を獲得するステップを可能にする命令を含む、発明７７に記載の物品。
［Ａ：発明８０］
前記１つまたは複数の機械可読記憶媒体は、実行された時に、前記プロセッサが、前記電子メール・メッセージの前記保護された部分を受信する前記許可の獲得に応答して前記電子メール・メッセージの前記保護された部分を供給するステップを可能にする命令を含む、発明７９に記載の物品。
［Ａ：発明８１］
前記１つまたは複数の機械可読記憶媒体は、実行された時に、前記プロセッサが、前記ユーザを前記電子メール・メッセージの許可されない部分に対するディジタル権利の所有者に向けるステップを可能にする命令を含む、発明７９に記載の物品。
［Ａ：発明８２］
前記１つまたは複数の機械可読記憶媒体は、実行された時に、前記プロセッサが、オーディオ・ファイル、ビデオ・ファイル、マルチメディア・ファイル、イメージ・ファイル、およびグラフィックス・ファイルのうちの少なくとも１つの１部分をダウンキャストするステップを可能にする命令を含む、発明１１に記載の物品。
［Ａ：発明８３］
前記１つまたは複数の機械可読記憶媒体は、実行された時に、前記プロセッサが、閾値時間を判定するステップと、
データ転送レートに関連する値を判定するステップと、
前記電子メール・メッセージのサイズに関連する値を判定するステップと、
前記データ転送レートに関連する前記判定された値および前記電子メール・メッセージの前記サイズに関連する前記判定された値を使用して転送時間を推定するステップと、
前記閾値時間と前記推定された転送時間とを比較するステップと、
前記比較に基づいて前記電子メール・メッセージの部分を選択するステップとを可能にする命令を含む、発明７７に記載の物品。
［Ａ：発明８４］
インターフェースと、前記インターフェースに結合され、電子メール・メッセージのすべてより少ないものを供給することが望ましいかどうかを判定し、前記電子メール・メッセージの部分を選択し、前記電子メール・メッセージの前記選択された部分を供給するように適合された制御ユニットとを含む装置。
［Ａ：発明８５］
前記制御ユニットが、前記電子メール・メッセージのすべてより少ないものを供給することが望ましいとの判定に応答して前記電子メール・メッセージに関連するフォーマットを判定し、前記判定されたフォーマットを使用して前記電子メール・メッセージの部分を選択するように適合される、発明８４に記載の装置。
［Ａ：発明８６］
前記制御ユニットが、前記電子メール・メッセージの前記選択された部分の分解能を減らし、減らされた分解能を有する前記電子メール・メッセージの前記部分を供給するように適合される、発明８４に記載の装置。
［Ａ：発明８７］
前記制御ユニットが、前記電子メール・メッセージの少なくとも前記選択された部分をダウンキャストするように適合される、発明８６に記載の装置。
［Ａ：発明８８］
前記制御ユニットが、前記電子メール・メッセージに関連する少なくとも１つのファイルの少なくとも１つの部分を選択するように適合される、発明８６に記載の装置。
［Ａ：発明８９］
前記制御ユニットが、少なくとも１つのタグに基づいて前記電子メール・メッセージに関連する少なくとも１つのファイルの部分を選択するように適合される、発明８６に記載の装置。
［Ａ：発明９０］
前記制御ユニットが、前記電子メール・メッセージの前記部分を動的に選択するように適合される、発明８６に記載の装置。
［Ａ：発明９１］
前記制御ユニットが、データ転送レートに関連する値を判定し、前記電子メール・メッセージのサイズに関連する値を判定し、メール転送判断基準を判定するように適合される、発明８５または８６に記載の装置。
［Ａ：発明９２］
前記制御ユニットが、前記データ転送レートに関連する前記判定された値および前記電子メール・メッセージに関連する少なくとも１つのファイルのサイズに関連する判定された値を使用して転送時間を推定し、閾値時間と前記推定された転送時間とを比較するように適合される、発明９１に記載の装置。
［Ａ：発明９３］
前記制御ユニットが、前記電子メール・メッセージの前記選択された部分を送信し、前記電子メール・メッセージを保管するように適合される、発明８５または８６に記載の装置。
［Ａ：発明９４］
前記制御ユニットが、実質的に前記電子メール・メッセージの前記選択された部分を供給した後に、前記電子メール・メッセージの追加の選択された部分を供給するように適合される、発明８５に記載の装置。
［Ａ：発明９５］
前記制御ユニットが、前記電子メール・メッセージを供給するように適合される、発明８５に記載の装置。
［Ａ：発明９６］
前記制御ユニットが、データ転送レートに関連する値を判定し、前記電子メール・メッセージのサイズに関連する値を判定し、メール転送判断基準を判定し、前記判定された転送レート値、前記電子メール・メッセージの前記サイズに関連する前記判定された値、および前記判定されたメール転送判断基準に基づいて前記電子メール・メッセージの部分を選択するように適合される、発明８４に記載の装置。
［Ａ：発明９７］
前記制御ユニットが、受信されたデータ・パケット内のデータおよび受信されたデータ・パケットに関連する時間期間を使用して前記データ転送レートに関連する前記値を判定するように適合される、発明９６に記載の装置。
［Ａ：発明９８］
前記制御ユニットが、ユーザ・プリファレンスを示すユーザ入力を受け取り、前記受け取られたユーザ入力に基づいて少なくとも１つのフラグをセットし、前記少なくとも１つのフラグに基づいて前記メール転送判断基準を判定するように適合される、発明９６に記載の装置。
［Ａ：発明９９］
前記制御ユニットが、閾値時間、最大添付ファイル・サイズ、最小平均転送レート、および時刻のうちの少なくとも１つを示すメール転送判断基準を判定するように適合され、前記制御ユニットが、デフォルト閾値時間およびユーザの好む最大転送時間のうちの少なくとも１つを判定するように適合される、発明９６に記載の装置。
［Ａ：発明１００］
前記制御ユニットが、前記データ転送レートに関連する前記判定された値および前記電子メール・メッセージの前記サイズに関連する前記判定された値を使用して転送時間を推定するように適合され、前記制御ユニットが、前記閾値時間と前記推定された転送時間とを比較することによって前記電子メール・メッセージの前記部分を選択するように適合される、発明９９に記載の装置。
［Ａ：発明１０１］
前記制御ユニットが、プロセッサ・ベース・デバイスおよびサーバのうちの少なくとも１つに前記インターフェースを介して前記電子メール・メッセージの前記選択された部分を供給するように適合される、発明９６に記載の装置。
［Ａ：発明１０２］
ストレージ・ユニットをさらに含み、前記制御ユニットが、前記インターフェースを介して前記電子メール・メッセージの前記選択された部分を送信し、前記電子メール・メッセージを前記ストレージ・ユニットに保管するように適合される、発明９６に記載の装置。
［Ａ：発明１０３］
前記制御ユニットが、前記電子メール・メッセージの未選択部分の通知を供給するように適合され、前記通知が、少なくとも前記保管された電子メール・メッセージの前記未選択部分の転送を開始するアクション・ボタンを含む、発明１０２に記載の装置。
［Ａ：発明１０４］
前記制御ユニットが、前記電子メール・メッセージのすべてより少ないものを供給することが望ましいかどうかの判定において、電子メール・メッセージに関連する少なくとも１つのディジタル権利に基づいて、ユーザが前記電子メール・メッセージのすべてより少ないものを受信することを許可されることを判定するように適合され、前記制御ユニットが、前記電子メール・メッセージのうちで前記ユーザが受信を許可される部分を選択するように適合される、発明８４に記載の装置。
［Ａ：発明１０５］
前記制御ユニットが、前記インターフェースを介して、ユーザ入力およびユーザ・プロファイルのうちの少なくとも１つにアクセスするように適合される、発明１０４に記載の装置。
［Ａ：発明１０６］
前記制御ユニットが、前記電子メール・メッセージの保護された部分を受信する許可を獲得するように適合される、発明１０４に記載の装置。
［Ａ：発明１０７］
前記制御ユニットが、前記電子メール・メッセージの前記保護された部分を受信する前記許可の獲得に応答して前記電子メール・メッセージの前記保護された部分を供給するように適合される、発明１０６に記載の装置。
［Ａ：発明１０８］
前記制御ユニットが、オーディオ・ファイル、ビデオ・ファイル、マルチメディア・ファイル、イメージ・ファイル、およびグラフィックス・ファイルのうちの少なくとも１つの１部分をダウンキャストするように適合される、発明１０４に記載の装置。
［Ａ：発明１０９］
前記制御ユニットが、閾値時間を判定し、データ転送レートに関連する値を判定し、電子メール・メッセージのサイズに関連する値を判定し、前記データ転送レートに関連する前記判定された値および前記電子メール・メッセージの前記サイズに関連する前記判定された値を使用して転送時間を推定し、前記閾値時間と前記推定された転送時間とを比較し、前記比較に基づいて前記電子メール・メッセージの部分を選択するように適合される、発明１０４に記載の装置。
［Ａ：発明１１０］
電子メール・メッセージを供給するように適合された第１プロセッサ・ベース・デバイスと、前記電子メール・メッセージを受信するように適合された第２プロセッサ・ベース・デバイスと、前記電子メール・メッセージのすべてより少ないものを供給することが望ましいかどうかを判定し、前記電子メール・メッセージの部分を選択し、前記電子メール・メッセージの前記選択された部分を供給するように適合された少なくとも１つのモジュールとを含むシステム。
［Ａ：発明１１１］
前記少なくとも１つのモジュールが、前記電子メール・メッセージのすべてより少ないものを供給することが望ましいとの判定に応答して前記電子メール・メッセージに関連するフォーマットを判定し、前記判定されたフォーマットを使用して前記電子メール・メッセージの前記部分を選択するように適合される、発明１１０に記載のシステム。
［Ａ：発明１１２］
前記第１プロセッサ・ベース・デバイスが、電子メール・サーバであり、前記第２プロセッサ・ベース・デバイスが、リモート・クライアントである、発明１１０に記載のシステム。
［Ａ：発明１１３］
前記第１プロセッサ・ベース・デバイスが、リモート・クライアントであり、前記第２プロセッサ・ベース・デバイスが、電子メール・サーバである、発明１１１に記載のシステム。
［Ａ：発明１１４］
前記少なくとも１つのモジュールが、データ転送レートに関連する値を判定し、前記電子メール・メッセージのサイズに関連する値を判定し、前記データ転送レートに関連する前記判定された値および前記電子メール・メッセージの前記サイズに関連する前記判定された値を使用して転送時間を推定し、閾値時間と前記推定された転送時間とを比較するように適合される、発明１１１に記載のシステム。
［Ａ：発明１１５］
電子メール・メッセージに関連する少なくとも１つのディジタル権利に基づいて、前記第１プロセッサ・ベース・デバイスのユーザが前記電子メール・メッセージのすべてより少ないものを受信することを許可されることを判定し、前記電子メール・メッセージのうちで前記ユーザが受信を許可される部分を選択するように適合される、発明１１０に記載のシステム。
［Ａ：発明１１６］
前記第２プロセッサ・ベース・デバイスが、サーバであり、ネットワークをさらに含み、前記サーバおよび少なくとも１つの第１プロセッサ・ベース・デバイスが、前記ネットワークを介して通信的に結合される、発明１１５に記載のシステム。
［Ａ：発明１１７］
前記第２プロセッサ・ベース・デバイスが、前記電子メール・メッセージをキューイングするように適合される、発明１１５に記載のシステム。
［Ａ：発明１１８］
ストレージ・ユニットをさらに含み、前記第２プロセッサ・ベース・デバイスが、前記電子メール・メッセージを前記ストレージ・ユニットに供給するように適合される、発明１１５に記載のシステム。
［Ｂ：発明１１９］
電子メール・メッセージのすべてより少ないものが送信されたことを判定するステップであって、前記電子メール・メッセージが、カレンダ・イベントを示すスケジューリング情報を含む、判定するステップと、
前記スケジューリング情報に基づいて前記電子メール・メッセージを前記カレンダ・イベントに関連付けるステップと、
前記カレンダ・イベントに基づいて前記電子メール・メッセージのすべてより少ないものが送信されたことの通知を供給するステップとを含む方法。
［Ｂ：発明１２０］
前記通知を供給するステップが、前記カレンダ・イベントに関連する時刻を判定するステップと、
現在時刻を判定するステップと、

前記電子メール・メッセージに関連する時刻と前記現在時刻との間の差を判定するステップとを含む、発明１１９に記載の方法。
［Ｂ：発明１２１］
前記通知を供給するステップが、前記電子メール・メッセージに関連する前記時刻と前記現在時刻との間の差が減るにつれて増える供給頻度および緊急性のうちの少なくとも１つを有する複数の通知を供給するステップを含む、発明１２０に記載の方法。
［Ａ：発明１２２］
前記供給頻度および前記緊急性のうちの少なくとも１つを有する前記複数の通知を供給するステップが、ユーザ・プロファイルによって決定される供給頻度を有する前記複数の通知を供給するステップを含む、発明１２１に記載の方法。
［Ｂ：発明１２３］
前記通知を供給するステップが、前記現在時刻が前記電子メール・メッセージに関連する前記時刻を過ぎた場合に遅れ通知を供給するステップを含む、発明１２０に記載の方法。
［Ｂ：発明１２４］
前記電子メール・メッセージを供給するステップをさらに含む、発明１１９に記載の方法。
［Ｂ：発明１２５］
前記電子メール・メッセージを供給するステップが、前記電子メール・メッセージを供給する時間期間をスケジューリングするステップを含む、発明１２４に記載の方法。
［Ｂ：発明１２６］
前記電子メール・メッセージを供給する前記時間期間をスケジューリングするステップが、デフォルト時刻、ヒストリカル使用パターン、および接続速度のうちの少なくとも１つに基づいて前記電子メール・メッセージを供給する前記時間期間をスケジューリングするステップを含む、発明１２５に記載の方法。
［Ｂ：発明１２７］
前記電子メール・メッセージを供給するステップが、オンデマンドで接続するようにユーザに促すステップを含む、発明１２４に記載の方法。
［Ｂ：発明１２８］
前記電子メール・メッセージを供給するステップが、ユーザが前記電子メール・メッセージの実質的にすべてを受信したかどうかを判定するステップを含む、発明１２４に記載の方法。
［Ｂ：発明１２９］
前記電子メール・メッセージを供給するステップが、接続性のコストを判定するステップを含む、発明１２４に記載の方法。
［Ｂ：発明１３０］
前記電子メール・メッセージを供給するステップが、接続性の前記判定されたコストに基づいて価格点を判定するステップを含む、発明１２９に記載の方法。
［Ｂ：発明１３１］
前記電子メール・メッセージのすべてより少ないものが送信されたことを判定するステップが、キュー、記憶媒体、レジスタ、およびフラグのうちの少なくとも１つにアクセスするステップと、
前記アクセスされたキュー、記憶媒体、レジスタ、またはフラグを使用して、前記電子メール・メッセージのすべてより少ないものが所期の受信者に送信されたことを判定するステップとを含む、発明１１９に記載の方法。
［Ｂ：発明１３２］
データ転送レートに関連する値を判定するステップと、
前記電子メール・メッセージの未送達部分のサイズに関連する値を判定するステップと、
前記判定された転送レート、前記電子メール・メッセージの前記サイズに関連する前記判定された値、および前記カレンダ・イベントに基づいて前記電子メール・メッセージの前記未送達部分の転送時刻をスケジューリングするステップとを含む、発明１１９に記載の方法。
［Ｂ：発明１３３］
前記転送時刻をスケジューリングするステップが、前記判定された転送レート値、および前記電子メール・メッセージの前記サイズに関連する前記判定された値のうちの少なくとも１つに基づいて転送時間を推定するステップを含む、発明１３２に記載の方法。
［Ｂ：発明１３４］
前記転送時刻をスケジューリングするステップが、前記カレンダ・イベントに関連する時刻を判定するステップと、
現在時刻を判定するステップと、
前記電子メール・メッセージに関連する時刻と前記現在時刻との間の差を判定するステップとを含む、発明１３３に記載の方法。
［Ｂ：発明１３５］
前記転送時刻をスケジューリングするステップが、前記推定された転送時間ならびに前記電子メール・メッセージに関連する前記時刻と前記現在時刻との間の前記差に基づいて前記転送時刻をスケジューリングするステップを含む、発明１３４に記載の方法。
［Ｂ：発明１３６］
前記データ転送レートに関連する前記値を判定するステップが、受信されたデータ・パケット内のデータおよび前記受信されたデータ・パケットに関連する時間期間を使用して平均データ転送レートを判定するステップを含む、発明１３２に記載の方法。
［Ｂ：発明１３７］
前記データ転送レートに関連する前記値を判定するステップが、デバイス・プロファイルに基づいて前記転送レートに関連する前記値を判定するステップを含む、発明１３２に記載の方法。
［Ｂ：発明１３８］
前記通知を供給するステップが、前記電子メール・メッセージの前記未送達部分の転送をスケジューリングする選択肢、前記電子メール・メッセージの前記未送達部分の転送を開始する選択肢、および後に追加の通知を供給する選択肢のうちの少なくとも１つを供給するステップを含む、発明１３２に記載の方法。
［Ｂ：発明１３９］
前記電子メール・メッセージを供給するステップをさらに含む、発明１３２に記載の方法。
［Ｂ：発明１４０］
前記電子メール・メッセージを供給するステップが、前記スケジューリングされた転送時刻に前記電子メール・メッセージを供給するステップを含む、発明１３９に記載の方法。
［Ｂ：発明１４１］
前記電子メール・メッセージを供給するステップが、前記転送を開始する選択肢をユーザに与えるステップを含む、発明１３９に記載の方法。
［Ｃ：発明１４２］
少なくとも１つの電子メール・メッセージの少なくとも１つの未送達部分に関連するイベントの少なくとも１つのインジケータを表示するステップと、
前記少なくとも１つのインジケータのうちの１つがユーザによって選択されたことを検出するためにポインタ・コントローラの位置および選択状況を監視するステップと、
前記少なくとも１つのインジケータのうちの１つが前記ユーザによって選択されたことの検出に応答して前記少なくとも１つの電子メール・メッセージの前記少なくとも１つの未送達部分および前記イベントに関連するスケジューリング情報を供給するステップとを含む、グラフィカル・ユーザ・ディスプレイを有するコンピュータ・システムの前記ユーザとインターフェースする方法。
［Ｃ：発明１４３］
前記スケジューリング情報を供給するステップが、現在時刻、スケジューリングされた時刻、スケジューリングされたイベント、およびスケジューリングされたダウンロード時刻のうちの少なくとも１つを供給するステップを含む、発明１４２に記載の方法。
［Ｃ：発明１４４］
前記少なくとも１つのインジケータのうちの１つが前記ユーザによって選択されたことの検出に応答して前記少なくとも１つの電子メール・メッセージの前記少なくとも１つの未送達部分および前記イベントに関連する前記スケジューリング情報を変更する選択肢を供給するステップをさらに含む、発明１４２に記載の方法。
［Ｃ：発明１４５］
前記スケジューリング情報に基づいて前記少なくとも１つの電子メール・メッセージの前記少なくとも１つの未送達部分に関連する通知を表示するステップをさらに含む、発明１４２に記載の方法。
［Ｃ：発明１４６］
前記通知を表示するステップが、前記少なくとも１つの電子メール・メッセージの前記少なくとも１つの未送達部分の転送をスケジューリングする選択肢、前記少なくとも１つの電子メール・メッセージの前記少なくとも１つの未送達部分の転送を開始する選択肢、および後に追加の通知を供給する選択肢のうちの少なくとも１つを供給するステップを含む、発明１４２に記載の方法。
［Ｃ：発明１４７］
ユーザ・ポインタ・コントローラを用いて前記グラフィカル・ユーザ・ディスプレイ上のポインタ要素を制御するステップをさらに含み、前記ポインタ・コントローラが、前記ユーザによる操作に応答する位置および選択状況を有する、発明１４２に記載の方法。
［Ｃ：発明１４８］
前記イベントの前記少なくとも１つのインジケータを表示するステップが、封筒アイコンおよびカレンダ・アイコンのうちの少なくとも１つを表示するステップを含む、発明１４２に記載の方法。
［Ｄ：発明１４９］
電子メール・メッセージのすべてより少ないものを供給することが望ましいかどうかを判定するステップと、
前記電子メール・メッセージの少なくとも１つの部分を選択するステップと、
前記電子メール・メッセージの前記少なくとも１つの部分を示す少なくとも１つのテキスト文字列を表示するステップと、
減らされた分解能を有する前記電子メール・メッセージの前記少なくとも１つの部分の版の少なくとも１つの表示を表示するステップと、
前記少なくとも１つの電子メール・メッセージの前記少なくとも１つの部分の前記減らされた分解能の版に対応する少なくとも１つの選択フィールドを表示するステップと、
前記少なくとも１つの選択フィールドのうちの１つがユーザによって選択されたことを検出するためにポインタ・コントローラの位置および選択状況を監視するステップと、
前記少なくとも１つの選択フィールドのうちの１つが前記ユーザによって選択されたことの検出に応答して前記少なくとも１つの選択フィールドのうちの前記選択された１つの外見を変更するステップとを含む、グラフィカル・ユーザ・ディスプレイを有するコンピュータ・システムの前記ユーザとインターフェースする方法。
［Ｄ：発明１５０］
前記少なくとも１つの電子メール・メッセージの前記少なくとも１つの部分の前記減らされた分解能の版に対応するサイズ・フィールドおよび時間フィールドのうちの少なくとも１つを表示するステップをさらに含む、発明１４９に記載の方法。
［Ｄ：発明１５１］
前記電子メール・メッセージの前記少なくとも１つの部分の前記減らされた分解能の版の優先順位レベルの少なくとも１つの表示を表示するステップと、
少なくとも１つの優先順位レベル・フィールドが前記ユーザによって選択されたことの検出に応答して前記電子メール・メッセージの前記少なくとも１つの部分の前記減らされた分解能の版の優先順位レベルを変更する選択肢を供給するステップとをさらに含む、発明１４９に記載の方法。
［Ｄ：発明１５２］
ユーザ・ポインタ・コントローラを用いて前記グラフィカル・ユーザ・ディスプレイ上のポインタ要素を制御するステップをさらに含み、前記ポインタ・コントローラが、前記ユーザによる操作に応答する位置および選択状況を有する、発明１４９に記載の方法。
［Ｅ：発明１５３］
少なくとも１つの電子メール・メッセージの少なくとも１つの部分に関連するディジタル権利管理規則の少なくとも１つのインジケータを表示するステップと、
前記少なくとも１つのインジケータのうちの少なくとも１つが前記ユーザによって選択されたことを検出するためにポインタ・コントローラの位置および選択状況を監視するステップと、
前記少なくとも１つのインジケータのうちの少なくとも１つが前記ユーザによって選択されたことの検出に応答して前記少なくとも１つの電子メール・メッセージの前記少なくとも１つの部分に関連するユーザ許可および前記ディジタル権利管理規則の表示を供給するステップとを含む、グラフィカル・ユーザ・ディスプレイを有するコンピュータ・システムの前記ユーザとインターフェースする方法。
［Ｅ：発明１５４］
前記ユーザ許可の前記表示を供給するステップが、１つまたは複数のディジタル権利を獲得する選択肢および前記少なくとも１つの電子メール・メッセージの前記少なくとも１つの部分をダウンキャストする選択肢のうちの少なくとも１つを供給するステップを含む、発明１５３に記載の方法。
［Ｅ：発明１５５］
前記少なくとも１つのインジケータのうちの少なくとも１つが前記ユーザによって選択されたことの検出に応答して、前記少なくとも１つの電子メール・メッセージの前記少なくとも１つの部分に関連する前記ディジタル権利管理規則を変更する選択肢を供給するステップをさらに含む、発明１５３に記載の方法。
［Ｅ：発明１５６］
ユーザ・ポインタ・コントローラを用いて前記グラフィカル・ユーザ・ディスプレイ上のポインタ要素を制御するステップをさらに含み、前記ポインタ・コントローラが、前記ユーザによる操作に応答する位置および選択状況を有する、発明１５３に記載の方法。
［Ｅ：発明１５７］
前記少なくとも１つの電子メール・メッセージの前記少なくとも１つの部分に関連する前記ユーザ許可および前記ディジタル権利管理規則の前記表示の前記少なくとも１つのインジケータを表示するステップが、閉じた鍵のアイコンおよび開いた鍵のアイコンのうちの少なくとも１つを表示するステップを含む、発明１５３に記載の方法。
［Ｆ：発明１５８］
少なくとも１つの電子メール・メッセージの少なくとも１つの部分を示す少なくとも１つのテキスト文字列を表示するステップと、
前記電子メール・メッセージの前記部分のダウンロードの推定された時間の少なくとも１つの表示を表示するステップと、
前記少なくとも１つの電子メール・メッセージの前記少なくとも１つの部分に対応する少なくとも１つの選択フィールドを表示するステップと、
前記少なくとも１つの選択フィールドのうちの１つが前記ユーザによって選択されたことを検出するためにポインタ・コントローラの位置および選択状況を監視するステップと、
前記少なくとも１つの選択フィールドのうちの１つが前記ユーザによって選択されたことの検出に応答して前記少なくとも１つの選択フィールドのうちの前記選択された１つの外見を変更するステップとを含む、グラフィカル・ユーザ・ディスプレイを有するコンピュータ・システムの前記ユーザとインターフェースする方法。
［Ｆ：発明１５９］
前記少なくとも１つの電子メール・メッセージの前記少なくとも１つの部分のうちの転送済み部分を示す進行状況フィールドを表示するステップをさらに含む、発明１５８に記載の方法。
［Ｆ：発明１６０］
前記少なくとも１つの電子メール・メッセージの前記少なくとも１つの部分に対応する少なくとも１つのアクション・フィールドを表示するステップと、前記少なくとも１つのアクション・フィールドのうちの１つが前記ユーザによって選択されたことを検出するために前記ポインタ・コントローラの位置および選択状況を監視するステップとをさらに含む、発明１５８に記載の方法。
［Ｆ：発明１６１］
前記少なくとも１つのアクション・フィールドのうちの前記１つが前記ユーザによって選択されたことの検出に応答して前記少なくとも１つの電子メール・メッセージの前記少なくとも１つの部分の転送を開始するステップまたはこれを一時停止するステップをさらに含む、発明１６０に記載の方法。
［Ｆ：発明１６２］
ユーザ・ポインタ・コントローラを用いて前記グラフィカル・ユーザ・ディスプレイ上のポインタ要素を制御するステップをさらに含み、前記ポインタ・コントローラが、前記ユーザによる操作に応答する位置および選択状況を有する、発明１５８に記載の方法。
［Ｆ：発明１６３］
前記ユーザによって供給される入力を使用して、前記少なくとも１つの電子メール・メッセージの前記少なくとも１つの部分を選択するステップをさらに含む、発明１５８に記載の方法。
［Ｆ：発明１６４］
発明１ないし５８のいずれかに記載の方法または発明１１９ないし１６３のいずれかに記載の方法を実行するように適合されたプログラム・コード手段を含み、コンピュータで実行されるコンピュータ・プログラム。